(57)【要約】  スピンドル２から砥石フランジ３および砥石６を取り外す工程を含んだガラス板の製造方法について、取り外す工程が、スピンドル２と砥石フランジ３との固定を解除する固定解除工程と、固定解除後の両者２，３の嵌合を砥石装置用工具７により解除する嵌合解除工程とを含み、工具７が、砥石フランジ３の中空部３ｄに固定可能であるようにした。
2020039940.tif 000002
【特許請求の範囲】
【請求項１】
スピンドルと、前記スピンドルと嵌合する孔部に加えて中空部を有する砥石保持具と、前記スピンドルと前記砥石保持具とを嵌合させた状態で固定する固定具と、前記砥石保持具に装着された状態で前記スピンドル周りを回転する環状の砥石とを備えた回転砥石装置について、前記スピンドルから前記砥石保持具および前記砥石を取り外す工程を含んだガラス板の製造方法であって、
前記取り外す工程が、前記固定具による前記スピンドルと前記砥石保持具との固定を解除する固定解除工程と、固定が解除された状態にある前記スピンドルと前記砥石保持具との嵌合を砥石装置用工具により解除する嵌合解除工程とを含み、
前記砥石装置用工具が、前記中空部に固定可能であることを特徴とするガラス板の製造方法。
【請求項２】
前記中空部が、前記孔部と連なり且つ前記孔部の孔軸方向に沿って形成され、
前記砥石装置用工具が、前記中空部に固定可能な第一部材と、前記第一部材に対して前記スピンドルの軸心方向に相対移動可能な第二部材とを有し、
前記第一部材に対する前記第二部材の相対移動は、送り移動によって行われ、
前記嵌合解除工程では、前記砥石保持具と前記第一部材とを固定した状態で且つ前記スピンドルの先端と前記第二部材とを当接させた状態で、前記第一部材と前記第二部材とを相対移動させることに伴って、前記スピンドルと前記砥石保持具との嵌合を解除することを特徴とする請求項１に記載のガラス板の製造方法。
【請求項３】
前記嵌合解除工程では、前記中空部の内周面に形成された雌ネジと、前記第一部材の外周面に形成された雄ネジとの噛み合いを利用して、前記砥石保持具と前記第一部材とを固定することを特徴とする請求項２に記載のガラス板の製造方法。
【請求項４】
前記第一部材に孔が形成されると共に、前記第二部材が前記スピンドルの軸心方向に延びる丸棒状の棒状部を有し、
前記嵌合解除工程では、前記第一部材の前記孔の内周面に形成された雌ネジと、前記第二部材の前記棒状部の外周面に形成された雄ネジとの噛み合いを利用して、前記第一部材に対して前記第二部材を送り移動させることを特徴とする請求項２又は３に記載のガラス板の製造方法。
【請求項５】
前記第二部材が、前記棒状部と連結され且つ前記棒状部の径方向に延びたハンドル部を有することを特徴とする請求項４に記載のガラス板の製造方法。
【請求項６】
前記砥石装置用工具が、前記中空部に固定可能な第一棒部材と、前記第一棒部材の長手方向に沿ってスライド可能な錘と、前記錘のスライドの範囲を規制する規制部材とを有し、
前記嵌合解除工程では、前記錘と前記規制部材とを衝突させることに伴って、前記スピンドルと前記砥石保持具との嵌合を解除することを特徴とする請求項１に記載のガラス板の製造方法。
【請求項７】
前記規制部材が、前記第一棒部材に連結され且つ前記第一棒部材の径方向に延びた第二棒部材であることを特徴とする請求項６に記載のガラス板の製造方法。
【請求項８】
前記第二棒部材が、前記第一棒部材の端部に連結されると共に、前記第一棒部材および前記第二棒部材でＴ字状をなすことを特徴とする請求項７に記載のガラス板の製造方法。
【請求項９】
前記砥石装置用工具がステンレス鋼で構成されることを特徴とする請求項１〜８のいずれかに記載のガラス板の製造方法。
【請求項１０】
スピンドルと、前記スピンドルと嵌合する孔部に加えて中空部を有する砥石保持具と、前記スピンドルと前記砥石保持具とを嵌合させた状態で固定する固定具と、前記砥石保持具に装着された状態で前記スピンドル周りを回転する環状の砥石とを備えた回転砥石装置について、前記スピンドルから前記砥石保持具および前記砥石を取り外すに際し、前記固定具による固定が解除された状態にある前記スピンドルと前記砥石保持具との嵌合を解除するための砥石装置用工具であって、
前記中空部に固定可能であることを特徴とする砥石装置用工具。
【請求項１１】
前記中空部が、前記孔部と連なり且つ前記孔部の孔軸方向に沿って形成され、
前記中空部に固定可能な第一部材と、前記第一部材に対して前記スピンドルの軸心方向に送り移動可能で且つ前記スピンドルの先端と当接可能な第二部材とを有することを特徴とする請求項１０に記載の砥石装置用工具。
【請求項１２】
前記中空部に固定可能な第一棒部材と、前記第一棒部材の長手方向に沿ってスライド可能な錘と、前記錘のスライドの範囲を規制する規制部材とを有することを特徴とする請求項１０に記載の砥石装置用工具。
【発明の詳細な説明】
【技術分野】
【０００１】
本発明は、回転砥石装置に備わったスピンドルから砥石保持具（例えば砥石フランジ）および砥石を取り外す工程を含んだガラス板の製造方法、及び、取り外しにあたってスピンドルと砥石保持具との嵌合を解除するための砥石装置用工具に関する。
【背景技術】
【０００２】
周知のように、ガラス板の製造工程は、ガラス板の端面に対して砥石により研削加工や研磨加工を施す端面加工工程を含む場合が多い。端面加工工程の実行には、砥石を備えた回転砥石装置を用いることが通例となっている。ここで、ガラス板の端面ではなく、ウェーハの端面を加工の対象としたものであるが、回転砥石装置の一例が特許文献１に開示されている。【０００３】
同文献に開示された装置は、先端部がテーパ形状に形成されたスピンドル（モータ回転軸４０）と、スピンドルと嵌合するテーパ形状の孔部（孔１８）が形成された砥石フランジ（フランジ本体１２）と、スピンドルと砥石フランジとを嵌合させた状態で固定する固定具（六角キャップボルト３４）と、砥石フランジの軸部（軸部１７）の外周面に装着された状態でスピンドル周りを回転する環状の砥石（砥石５０）とを備えている。【０００４】
ところで、砥石は、加工の対象となるガラス板の品種（寸法、材質、面取り形状、要求品質）に応じて使い分ける必要があり、そのために砥石フランジおよび砥石を交換する場合がある。特許文献１では、砥石フランジおよび砥石を交換する際に、まず、砥石フランジの軸部から砥石を取り外し、その状態で固定具によるスピンドルと砥石フランジとの固定を解除する。次いで、固定が解除された状態にあるスピンドルと砥石フランジとの嵌合を解除する。ここで、スピンドルと砥石フランジは強固に嵌り合って密着しているので、嵌合の解除には、砥石装置用工具が用いられる。この砥石装置用工具の一例が特許文献１に開示されている。【０００５】
同文献に開示された工具は、砥石フランジの軸部の外周面に形成された雄ネジと噛み合う雌ネジが形成されると共に、両ネジの噛み合いを利用して軸部の外周面に対して固定可能な第一部材（円盤４４）と、第一部材の貫通孔の内周面に形成された雌ネジと噛み合う雄ネジが形成されると共に、両ネジの噛み合いを利用してスピンドルの軸心方向に送り移動可能な第二部材（抜きボルト４６）とを備えている。【０００６】
上記の工具を用いてスピンドルと砥石フランジとの嵌合を解除する際には、砥石フランジの軸部の外周面に対して第一部材を固定すると共に、第一部材の貫通孔に第二部材を回転させながら挿通してスピンドルの先端と第二部材とを当接させる。この状態で、第二部材をさらに回転させることにより、第一部材に対して第二部材をスピンドルに向かって送り移動させる。これに伴って第一部材と共に砥石フランジがスピンドルから遠ざかるように移動するので、砥石フランジの孔部からスピンドルの先端部が押し出され、スピンドルと砥石フランジとの嵌合が解除される。
【先行技術文献】
【特許文献】
【０００７】
【特許文献１】特開２００５−２１２０６６号公報
【発明の概要】
【発明が解決しようとする課題】
【０００８】
しかしながら、上記の工具を用いてスピンドルと砥石フランジ（砥石保持具）との嵌合を解除した場合には、下記のような解決すべき問題があった。【０００９】
すなわち、上記の工具を用いて嵌合を解除する場合には、第一部材と砥石との干渉を防止する観点から、第一部材を砥石フランジの軸部の外周面に対して固定する前に、軸部の外周面から砥石を取り外しておくことが必要となる。従って、スピンドルから砥石フランジおよび砥石を取り外す度に、逐一砥石を砥石フランジから取り外すことが要求される。ここで、砥石は、芯出しされた状態で砥石フランジに装着する必要があるので、この砥石を再び使用するためには、砥石フランジを砥石に装着すると共に芯出し作業が必要になるという不具合があった。【００１０】
このような状況から、スピンドルから砥石フランジおよび砥石の両者を取り外すにあたり、その作業を効率的に行うことができる技術の確立が期待されていた。上記の事情に鑑みなされた本発明は、回転砥石装置に備わったスピンドルから砥石保持具および砥石を取り外すに際し、その作業の効率化を図る事を技術的な課題とする。
【課題を解決するための手段】
【００１１】
上記の課題を解決するために創案された本発明は、スピンドルと、スピンドルと嵌合する孔部に加えて中空部を有する砥石保持具と、スピンドルと砥石保持具とを嵌合させた状態で固定する固定具と、砥石保持具に装着された状態でスピンドル周りを回転する環状の砥石とを備えた回転砥石装置について、スピンドルから砥石保持具および砥石を取り外す工程を含んだガラス板の製造方法であって、取り外す工程が、固定具によるスピンドルと砥石保持具との固定を解除する固定解除工程と、固定が解除された状態にあるスピンドルと砥石保持具との嵌合を砥石装置用工具により解除する嵌合解除工程とを含み、砥石装置用工具が、中空部に固定可能であることを特徴とするものである。【００１２】
本方法では、砥石保持具の中空部に砥石装置用工具を固定することが可能であるので、嵌合解除工程の実行にあたり、砥石装置用工具が、砥石と干渉する虞を確実に排除できる。従って、嵌合解除工程の実行に際して、砥石保持具から砥石を取り外す必要性を当然になくすことが可能となる。その結果、スピンドルから砥石保持具および砥石を取り外すための作業（取り外す工程）の効率化を図ることができる。【００１３】
上記の方法では、中空部が、孔部と連なり且つ孔部の孔軸方向に沿って形成され、砥石装置用工具が、中空部に固定可能な第一部材と、第一部材に対してスピンドルの軸心方向に相対移動可能な第二部材とを有し、第一部材に対する第二部材の相対移動は、送り移動によって行われ、嵌合解除工程では、砥石保持具と第一部材とを固定した状態で且つスピンドルの先端と第二部材とを当接させた状態で、第一部材と第二部材とを相対移動させることに伴って、スピンドルと砥石保持具との嵌合を解除してもよい。【００１４】
ここで、嵌合解除工程で砥石保持具、又は、砥石に衝撃が加わると、砥石保持具と砥石との間に位置ずれが生じる。この状態の砥石保持具と砥石を再びスピンドルに取り付けて端面加工工程を実行すると、加工された端面にうねりが生じ、端面の性状が悪化してしまうおそれがある。上記構成では、スピンドルの先端と第二部材とを当接させた状態で、第一部材と第二部材とを相対移動させることに伴って、スピンドルと砥石保持具との嵌合を解除する。この第一部材に対する第二部材の相対移動は、送り移動によって行われる。つまり、スピンドルの先端と第二部材とが当接した状態の下、送り移動に伴い、スピンドルの先端部を砥石保持具の孔部から離脱させることになる。そのため、嵌合解除工程の実行にあたり、砥石装置用工具（第一部材および第二部材）、砥石保持具、及び、砥石のいずれに対しても衝撃を加える必要性を排除できる。その結果、嵌合解除工程の実行に際して、砥石保持具と砥石との間におけるずれの発生を防止することが可能となる。従って、これら砥石保持具および砥石を再びスピンドルに取り付けてガラス板の端面を加工した場合でも、加工された端面にうねりが生じることを回避でき、端面の性状の悪化を防止することが可能になる。【００１５】
上記の方法では、嵌合解除工程では、中空部の内周面に形成された雌ネジと、第一部材の外周面に形成された雄ネジとの噛み合いを利用して、砥石保持具と第一部材とを固定することが好ましい。【００１６】
このようにすれば、簡易な機構であるネジ機構を利用するだけで、砥石保持具と第一部材との固定、及び、その解除を行うことが可能となる。また、簡易な機構を採用することで、砥石装置用工具の作製に掛かるコストを削減することもできる。【００１７】
上記の方法では、第一部材に孔が形成されると共に、第二部材がスピンドルの軸心方向に延びる丸棒状の棒状部を有し、嵌合解除工程では、第一部材の孔の内周面に形成された雌ネジと、第二部材の棒状部の外周面に形成された雄ネジとの噛み合いを利用して、第一部材に対して第二部材を送り移動させることが好ましい。【００１８】
このようにすれば、簡易な機構であるネジ機構を利用するだけで、第一部材と第二部材とを相対移動させることが可能となる。また、砥石装置用工具の作製に掛かるコストを削減する上で更に有利となる。加えて、工具に作用させたトルクをスピンドルの軸心方向に作用する力に変換できるため、可及的に小さな力を工具に作用させるだけで、スピンドルと砥石保持具との嵌合を解除させることができる。【００１９】
上記の方法では、第二部材が、棒状部と連結され且つ棒状部の径方向に延びたハンドル部を有することが好ましい。【００２０】
このようにすれば、ハンドル部の存在により、第二部材の棒状部に対して回転のためのトルクを加えやすくなる。そのため、容易に棒状部を回転させて第二部材をスピンドルの軸心方向に送ることができる。【００２１】
上記の方法では、砥石装置用工具が、中空部に固定可能な第一棒部材と、第一棒部材の長手方向に沿ってスライド可能な錘と、錘のスライドの範囲を規制する規制部材とを有し、嵌合解除工程では、錘と規制部材とを衝突させることに伴って、スピンドルと砥石保持具との嵌合を解除してもよい。【００２２】
このようにすれば、錘と規制部材とを衝突させるだけで、その際に発生する衝撃を利用してスピンドルと砥石保持具との嵌合を解除できる。そのため、スピンドルから砥石保持具および砥石を取り外すための作業を容易に行うことが可能となる。【００２３】
上記の方法では、規制部材が、第一棒部材に連結され且つ第一棒部材の径方向に延びた第二棒部材であることが好ましい。【００２４】
このようにすれば、砥石装置用工具の構造を簡易にできるため、砥石装置用工具の作製に掛かるコストを削減することが可能となる。【００２５】
上記の方法では、第二棒部材が、第一棒部材の端部に連結されると共に、第一棒部材および第二棒部材でＴ字状をなすことが好ましい。【００２６】
このようにすれば、第一部材の長手方向に沿ってスライドする錘について、スライドの範囲を簡便且つ確実に規制することが可能となる。【００２７】
上記の方法では、砥石装置用工具がステンレス鋼で構成されることが好ましい。【００２８】
このようにすれば、回転砥石装置によりガラス板の端面を加工する際に用いる研削液や研磨液等に起因して、砥石装置用工具に錆が発生することを好適に防止できる。【００２９】
また、上記の課題を解決するために創案された本発明は、スピンドルと、スピンドルと嵌合する孔部に加えて中空部を有する砥石保持具と、スピンドルと砥石保持具とを嵌合させた状態で固定する固定具と、砥石保持具に装着された状態でスピンドル周りを回転する環状の砥石とを備えた回転砥石装置について、スピンドルから砥石保持具および砥石を取り外すに際し、固定具による固定が解除された状態にあるスピンドルと砥石保持具との嵌合を解除するための砥石装置用工具であって、中空部に固定可能であることを特徴とするものである。【００３０】
本工具によれば、上記のガラス板の製造方法に係る説明で既述の作用・効果と同一の作用・効果を得ることが可能となる。【００３１】
上記の構成では、中空部が、前記孔部と連なり且つ前記孔部の孔軸方向に沿って形成され、中空部に固定可能な第一部材と、第一部材に対してスピンドルの軸心方向に送り移動可能で且つスピンドルの先端と当接可能な第二部材とを有していてもよい。【００３２】
このようにすれば、上記のガラス板の製造方法に係る説明で既述の作用・効果と同一の作用・効果を得ることが可能となる。【００３３】
上記の構成では、中空部に固定可能な第一棒部材と、第一棒部材の長手方向に沿ってスライド可能な錘と、錘のスライドの範囲を規制する規制部材とを有していてもよい。【００３４】
このようにすれば、上記のガラス板の製造方法に係る説明で既述の作用・効果と同一の作用・効果を得ることが可能となる。
【発明の効果】
【００３５】
本発明によれば、回転砥石装置に備わったスピンドルから砥石保持具および砥石を取り外すに際し、その作業の効率化を図る事ができる。
【図面の簡単な説明】
【００３６】
【図１】回転砥石装置を示す縦断正面図である。
【図２】本発明の第一実施形態に係るガラス板の製造方法における固定解除工程を示す縦断正面図である。
【図３】本発明の第一実施形態に係る砥石装置用工具を示す縦断正面図である。
【図４】本発明の第一実施形態に係るガラス板の製造方法における嵌合解除工程を示す縦断正面図である。
【図５】本発明の第一実施形態に係るガラス板の製造方法における嵌合解除工程を示す縦断正面図である。
【図６】本発明の第一実施形態に係るガラス板の製造方法における嵌合解除工程を示す縦断正面図である。
【図７】本発明の第一実施形態に係るガラス板の製造方法における嵌合解除工程を示す縦断正面図である。
【図８】本発明の第二実施形態に係る砥石装置用工具を示す正面図である。
【図９】本発明の第二実施形態に係るガラス板の製造方法における嵌合解除工程を示す正面図である。
【発明を実施するための形態】
【００３７】
以下、本発明の実施形態に係るガラス板の製造方法、及び、砥石装置用工具について添付の図面を参照しながら説明する。なお、添付の図面において、極太線で示した箇所はネジが形成されていることを表している。
【００３８】
＜第一実施形態＞
本実施形態に係るガラス板の製造方法は、後述のように、回転砥石装置に備わったスピンドルから砥石保持具および砥石を取り外す工程を含んでいる。はじめに、回転砥石装置の構成について説明する。
【００３９】
図１に示すように、回転砥石装置１は、スピンドル２と、スピンドル２と嵌合する孔部３ａが形成された砥石フランジ３（砥石保持具）と、スピンドル２と砥石フランジ３とを嵌合させた状態で固定する固定具としてのボルト４および押え板５と、砥石フランジ３に装着された状態でスピンドル２の周りを回転する環状の砥石６とを備えている。
【００４０】
スピンドル２は、テーパ形状に形成された先端部２ａを有する。先端部２ａは、下方側から上方側（基端側から先端側）に移行するほど外径が縮小するように形成されている。先端部２ａの内部には、ボルト４に形成された雄ネジ（図示省略）と噛み合う雌ネジ（図示省略）が形成されている。スピンドル２は、モーター等の駆動装置（図示なし）からの動力伝達に伴い、砥石フランジ３及び砥石６と共に回転する。
【００４１】
砥石フランジ３は、砥石６を下方から支持するフランジ部３ｂと、フランジ部３ｂの上方に連なった軸部３ｃとを有する。
【００４２】
フランジ部３ｂに形成された孔部３ａは、スピンドル２の先端部２ａと嵌合するテーパ形状に形成されており、下方側から上方側に移行するほど内径が縮小するように形成されている。なお、本実施形態では、孔部３ａの上端とスピンドル２の先端とが面一となっているが、孔部３ａの上端位置（後述の中空部３ｄの底面位置）がスピンドル２の先端位置よりも高くてもよい。この孔部３ａの孔軸は、スピンドル２の軸心と一致している。
【００４３】
軸部３ｃには、孔部３ａと連なる中空部３ｄが形成されている。これにより、軸部３ｃが筒状に形成されている。中空部３ｄは、孔部３ａの孔軸方向に沿って形成されると共に、開口形状が円形となるように形成されている。この開口がなす円の内径は、孔部３ａの上端（テーパの上端）における内径よりも大きくなっている。また、中空部３ｄの孔軸は、孔部３ａの孔軸と同様にして、スピンドル２の軸心と一致している。さらに、中空部３ｄの内周面には雌ネジ３ｅが形成されている。
【００４４】
ボルト４は、押え板５に形成された孔（図示省略）を貫通すると共に、その頭部が押え板５をスピンドル２側に押え付けた状態で、スピンドル２の先端部２ａに締め付けられている。このボルト４の締め付けにより、スピンドル２と砥石フランジ３とが固定される。
【００４５】
砥石６は、当該砥石６がなす環（円環）の中心が、スピンドル２の軸心と一致するように砥石フランジ３に装着されている。砥石６の砥石フランジ３への装着は、ボルト（図示省略）によりなされている。砥石６の外周面には、上下複数段に亘ってガラス板の端面加工用の溝（図示省略）が形成されている。
【００４６】
次に、上述の取り外す工程について説明する。
【００４７】
取り外す工程は、ボルト４および押え板５によるスピンドル２と砥石フランジ３との固定を解除する固定解除工程（図２）と、固定が解除された状態にあるスピンドル２と砥石フランジ３との嵌合を砥石装置用工具７（図３）により解除する嵌合解除工程（図４〜図７）とを含んでいる。
【００４８】
固定解除工程では、図２に示すように、スピンドル２の先端部２ａに締め付けられていたボルト４を緩めて取り外すと共に、押え板５を取り除く。これにより、固定解除工程が完了する。固定解除工程が完了した後のスピンドル２と砥石フランジ３とは、未だ強固に嵌り合って相互に密着した状態にある。
【００４９】
固定解除工程が完了すると、次いで、嵌合解除工程を実行する。ここで、嵌合解除工程に用いる砥石装置用工具７の構成について説明する。
【００５０】
図３に示すように、砥石装置用工具７は、ボルト状に形成された第一部材８と、Ｔ字状に形成された第二部材９とを有する。この砥石装置用工具７の材質は特に限定されるものではないが、本実施形態では材質としてステンレス鋼を採用している。
【００５１】
第一部材８は、本体部８ａと、本体部８ａの一端に連なった頭部８ｂとを有する。また第一部材８には自身を貫通する孔８ｃが形成されており、孔８ｃの内周面には雌ネジ８ｄが形成されている。一方、本体部８ａの外周面には雄ネジ８ｅが形成されており、この雄ネジ８ｅは砥石フランジ３の中空部３ｄの内周面に形成された雌ネジ３ｅと噛み合うようになっている。頭部８ｂは、本体部８ａよりも外径が一回り大きく形成されており、頭部８ｂの外径は、砥石フランジ３の中空部３ｄの開口がなす円の内径よりも大きくなっている。また、頭部８ｂの外径は、砥石６がなす環（円環）の内径よりも小さくなっている。
【００５２】
第二部材９は、丸棒状の棒状部９ａと、棒状部９ａと連結され且つ当該棒状部９ａの径方向に延びたハンドル部９ｂとを有する。棒状部９ａの外径は、砥石フランジ３の孔部３ａの上端における内径よりも小さくなっている。棒状部９ａの外周面には雄ネジ９ｃが形成されており、この雄ネジ９ｃは第一部材８の孔８ｃの内周面に形成された雌ネジ８ｄと噛み合うようになっている。これにより、第一部材８の孔８ｃの内周面に形成された雌ネジ８ｄと、第二部材９の棒状部９ａの外周面に形成された雄ネジ９ｃとを噛み合わせた状態で、ハンドル部９ｂを操作して棒状部９ａを回転させると、第一部材８に対して第二部材９が棒状部９ａの長手方向に沿って送り移動する構成となっている。
【００５３】
上記の砥石装置用工具７を用いた嵌合解除工程では、まず、図４に示すように、砥石６を砥石フランジ３に装着したままで、砥石フランジ３の中空部３ｄに第一部材８を固定する。具体的には、砥石フランジ３の中空部３ｄの内周面に形成された雌ネジ３ｅと、第一部材８の本体部８ａの外周面に形成された雄ネジ８ｅとを噛み合わせながら相対回転させることにより、第一部材８を砥石フランジ３に取り付け、第一部材８の頭部８ｂが砥石フランジ３の軸部３ｃに当接した状態とする。
【００５４】
次に、図５に示すように、第一部材８の孔８ｃの内周面に形成された雌ネジ８ｄと、第二部材９の棒状部９ａの外周面に形成された雄ネジ９ｃとを噛み合わせる。このとき、第二部材９の棒状部９ａがスピンドル２の軸心方向に延びた状態となる。そして、両ネジ８ｄ，９ｃを噛み合わせながら、第二部材９のハンドル部９ｂを操作して棒状部９ａを回転させる。これに伴い、第一部材８に対して棒状部９ａがスピンドル２（下側）に向かって送られて移動する。
【００５５】
上述のように棒状部９ａをスピンドル２に向かって送っていくと、やがて図６に示すように、棒状部９ａがスピンドル２の先端に当接し、それ以上棒状部９ａが下方に移動できない状態となる。この状態から更に第二部材９のハンドル部９ｂを操作して棒状部９ａを回転させることにより、第一部材８に対して棒状部９ａをスピンドル２に向かって送り移動させる。この場合、棒状部９ａが下側に移動できないので、図７に示すように、第一部材８がスピンドル２から遠ざかるよう（上側）に移動する。このとき、第一部材８と固定された状態にある砥石フランジ３もまた上側に移動する。これに伴い、砥石フランジ３の孔部３ａがスピンドル２の先端部２ａから浮き上がり、スピンドル２と砥石フランジ３との嵌合が解除される。
【００５６】
以上により嵌合解除工程が完了すると共に、取り外す工程に含まれた全工程が終了する。これにより、回転砥石装置１に備わったスピンドル２から砥石フランジ３および砥石６が取り外された状態となる。
【００５７】
以下、上記のガラス板の製造方法による主たる作用・効果について説明する。
【００５８】
上記の方法では、嵌合解除工程の実行にあたり、砥石フランジ３の中空部３ｄに第一部材８（砥石装置用工具７）を固定することから、砥石６と干渉する虞を確実に排除できる。従って、嵌合解除工程の実行に際して、砥石フランジ３から砥石６を取り外す必要性を当然になくすことが可能となる。その結果、スピンドル２から砥石フランジ３および砥石６を取り外すための作業の効率化を図ることができる。
【００５９】
以下、第二実施形態について説明する。なお、第二実施形態の説明において、上記の第一実施形態で説明済みの要素と実質的に同一の要素については、第二実施形態の説明で参照する図面に同一の符号を付すことで重複する説明を省略し、第一実施形態との相違点についてのみ説明する。
【００６０】
＜第二実施形態＞
図８及び図９に示すように、第二実施形態が、上記の第一実施形態と相違している点は、嵌合解除工程に用いる砥石装置用工具７の構成、及び、嵌合解除工程の実行の態様である。
【００６１】
砥石装置用工具７は、砥石フランジ３の中空部３ｄ（図示省略）に固定が可能な第一棒部材としての鉛直棒１０と、鉛直棒１０の長手方向に沿って上下にスライドが可能な錘１１と、錘１１のスライドの範囲を規制する規制部材（第二棒部材）としての水平棒１２とを有する。
【００６２】
鉛直棒１０の上端部は水平棒１２の中央部と連結されており、両者１０，１２によりＴ字状をなしている。なお、水平棒１２は鉛直棒１０の径方向に延びている。ここで、本実施形態の変形例として、鉛直棒１０と水平棒１２とを交差させて両者１０，１２により十字状をなすようにしてもよい。本実施形態では、鉛直棒１０の下端部１０ａの外周面には雄ネジ１０ｂが形成されており、水平棒１２を操作して鉛直棒１０を回転させることに伴い、砥石フランジ３の中空部３ｄの内周面に形成された雌ネジ３ｅ（図示省略）と噛み合せることが可能である。これにより、砥石フランジ３の中空部３ｄと鉛直棒１０とが固定される。また、錘１１は、図示しない貫通孔が形成されており、その貫通孔には、鉛直棒１０の下端部１０ａと上端部の間の中間部が挿通されている。このため、錘１１は、鉛直棒１０の長手方向に沿って上下にスライドが可能である。錘１１の貫通孔の内径は、鉛直棒１０の中間部の外径よりも大きく、鉛直棒１０の下端部１０ａの外径よりも小さい。このため、錘１１がスライドできる範囲は、鉛直棒１０の下端部１０ａと上端部（水平棒１２）との相互間に規制される。
【００６３】
上記の砥石装置用工具７を用いた嵌合解除工程では、図９に矢印Ａで示すように、鉛直棒１０に沿ってスライドさせた錘１１を水平棒１２に衝突させる。この衝突は一回のみの場合もあるし、複数回に亘る場合もある。この際の衝撃を利用して嵌合を解除する。この第二実施形態によっても、上記の第一実施形態と同様の主たる作用・効果を得ることが可能である。
【００６４】
ここで、本発明に係るガラス板の製造方法および砥石装置用工具は、上記の実施形態で説明した態様や構成に限定されるものではない。例えば、上記の実施形態では、第一部材、或いは、鉛直棒を砥石フランジに固定するためにネジ機構を利用しているが、この限りではない。ネジ機構に代えて爪等を有するチャック機構を利用することで、第一部材、或いは、鉛直棒を砥石フランジに固定してもよい。
【００６５】
また、上記の第一実施形態では、第一部材に対して第二部材を送り移動させるためにネジ機構を利用しているが、これに限定されるものではない。ネジ機構に代えてラック・アンド・ピニオン機構を利用することで、第一部材と第二部材とを送り移動させてもよい。この場合、第一部材にピニオンを設けると共に第二部材にラックを設け、ピニオンの回転に伴い、第一部材に対して第二部材を送り移動させればよい。
【００６６】
また、上記の実施形態では、砥石が装着される砥石保持具として砥石フランジを用いているが、これに限定されるものではない。スピンドルと嵌合する孔部に加えて中空部を有していれば、砥石フランジに代えて他の形状の砥石保持具を用いてもよい。また、上記の第二実施形態では、中空部は、第一棒部材（鉛直棒１０）が固定可能であればよく、孔部と連なっていなくてもよい。
【符号の説明】
【００６７】
１          回転砥石装置
２          スピンドル
２ａ        先端部
３          砥石フランジ（砥石保持具）
３ａ        孔部
３ｄ        中空部
３ｅ        雌ネジ
４          ボルト
５          押え板
６          砥石
７          砥石装置用工具
８          第一部材
８ｃ        孔
８ｄ        雌ネジ
８ｅ        雄ネジ
９          第二部材
９ａ        棒状部
９ｂ        ハンドル部
９ｃ        雄ネジ
１０        鉛直棒
１１        錘
１２        水平棒
【図１】
2020039940.tif 000003
【図２】
2020039940.tif 000004
【図３】
2020039940.tif 000005
【図４】
2020039940.tif 000006
【図５】
2020039940.tif 000007
【図６】
2020039940.tif 000008
【図７】
2020039940.tif 000009
【図８】
2020039940.tif 000010
【図９】
2020039940.tif 000011
【国際調査報告】
2020039940.tif 000012
2020039940.tif 000013